(57)【要約】      （修正有）【課題】湿気の多い環境であっても腐食しにくいキャビネットを提供する。【解決手段】本キャビネットは、筺体１０５、基板１３０、ヒータまたはヒータに代わる結露防止器、過電流防止手段２２０、防水コネクタ１５０を備える。筺体は、ポリカーボネイトで形成された本体１１０と蓋部１２０と、本体と蓋部とが閉じた状態を維持するための２つ以上の固定部１１６とを有する。基板は、樹脂製である。ヒータまたはヒータに代わる結露防止器は、筺体内に配置され、筺体内部の結露を防ぐ。過電流防止手段は、基板上に配置され、ヒータに過電流が流れることを防止する。また、本体は、蓋部と接触する部分に耐久性に優れたゴムで形成されたパッキン１２１を具備する。蓋部も、本体と接触する部分に耐久性に優れたゴムで形成されたパッキンを具備する。そして、蓋部が閉じた状態の時には、本体のパッキンと蓋部のパッキンとが接触するように構成されている。【選択図】図３
0003149878.tif 000002
【実用新案登録請求の範囲】
【請求項１】
電気配線用のキャビネットであって、
ポリカーボネイトで形成された本体と蓋部と、前記本体と前記蓋部とが閉じた状態を維持するための２つ以上の固定部とを有する筺体と、
前記筺体内に配置され、電気配線を行うための樹脂製の基板と、
前記筺体内に配置され、前記筺体内部の結露を防ぐヒータと、
前記基板上に配置され、前記ヒータに過電流が流れることを防止する過電流防止手段と、
前記本体の壁面に配置され、外部の電気配線と内部の電気配線とを密封通線する防水コネクタと、
を備え、
前記本体は、前記蓋部と接触する部分に耐久性に優れたゴムで形成されたパッキンを具備し、
前記蓋部も、前記本体と接触する部分に耐久性に優れたゴムで形成されたパッキンを具備し、
前記蓋部が閉じた状態の時には、前記本体のパッキンと前記蓋部のパッキンとが接触する
ことを特徴とするキャビネット。
【請求項２】
電気配線用のキャビネットであって、
ポリカーボネイトで形成された本体と蓋部と、前記本体と前記蓋部とが閉じた状態を維持するための２つ以上の固定部とを有する筺体と、
前記筺体内に配置され、電気配線を行うための樹脂製の基板と、
前記筺体内に配置され、前記筺体内部の結露を防ぐ結露防止器と、
前記本体の壁面に配置され、外部の電気配線と内部の電気配線とを密封通線する防水コネクタと、
を備え、
前記本体は、前記蓋部と接触する部分に耐久性に優れたゴムで形成されたパッキンを具備し、
前記蓋部も、前記本体と接触する部分に耐久性に優れたゴムで形成されたパッキンを具備し、
前記蓋部が閉じた状態の時には、前記本体のパッキンと前記蓋部のパッキンとが接触する
ことを特徴とするキャビネット。
【請求項３】
請求項１または２記載のキャビネットであって、
耐久性に優れたゴムとは、シリコンゴム、エチレンプロピレンゴム、フッ素ゴムのいずれかである
ことを特徴とするキャビネット。
【請求項４】
請求項１から３のいずれかに記載のキャビネットであって、
前記蓋部のパッキンは平面状に形成され、前記本体のパッキンは先端の幅が２〜８ｍｍの凸部に形成されている
ことを特徴とするキャビネット。
【請求項５】
請求項４記載のキャビネットであって、
前記本体のパッキンの厚みが０．３〜０．７ｍｍである
ことを特徴とするキャビネット。
【請求項６】
請求項１から３のいずれかに記載のキャビネットであって、
前記本体のパッキンは平面状に形成され、前記蓋部のパッキンは先端の幅が２〜８ｍｍの凸部に形成されている
ことを特徴とするキャビネット。
【請求項７】
請求項６記載のキャビネットであって、
前記蓋部のパッキンの厚みが０．３〜０．７ｍｍである
ことを特徴とするキャビネット。
【考案の詳細な説明】
【技術分野】
【０００１】
本考案は、電気配線用のキャビネット、特に湿気の多い環境で使用するキャビネットに関する。
【背景技術】
【０００２】
電気配線用のキャビネットには、例えば特許文献１のような例がある。一般的な従来の電気配線用のキャビネットの構成を図１、図２に示す。図１は蓋部を解放した図であり、図２は蓋部を閉じた図である。図１のキャビネット９００は、分電盤として使用される場合の例を示しており、筺体９０５、基板９３０、コネクタ９５０−１、９５０−２、ブレーカ９４０とを備える。筺体９０５は、鋼板製の本体９１０と蓋部９２０と、蓋部９２０を開閉するためのノブ９６０とを備える。基板９３０は、筺体９０５内に配置され、電気配線を行うための基板（電気配線に必要な部品やコードを固定するための基板）である。コネクタ９５０−１、９５０−２は、本体９１０の壁面に配置され、外部の電気配線と内部の電気配線とを通線するためのコネクタである。コネクタ９５０−１、９５０−２の外部側には、ケーブル９９０−１、９９０−２が配線され、内部側の電気配線９７０に至る。蓋部９２０は、本体と接触する部分にパッキン９２１を具備する。
【先行技術文献】
【特許文献】
【０００３】
【特許文献１】特表平１１−５０２３７７号公報
【考案の概要】
【考案が解決しようとする課題】
【０００４】
キャビネット９００は、幅広く電気配線などに使用されている。しかし、トンネルの中などの湿気の多い環境では、腐食によって蓋部が落下したり、キャビネット自体が落下したり、漏電の原因となったりしており、問題であった。
【０００５】
そこで、本発明は湿気の多い環境であっても腐食しにくいキャビネットを提供することを目的とする。
【課題を解決するための手段】
【０００６】
本発明のキャビネットは、筺体、基板、ヒータまたは結露防止器、過電流防止手段、防水コネクタを備える。筺体は、ポリカーボネイトで形成された本体と蓋部と、本体と蓋部とが閉じた状態を維持するための２つ以上の固定部とを有する。基板は、樹脂製であり、筺体内に配置され、電気配線を行うための基板である。ヒータは、筺体内に取り付けられ、筺体内部の結露を防ぐ。過電流防止手段は、基板上に配置され、ヒータに過電流が流れることを防止する。なお、ヒータの代わりに筺体底部を貫通する結露防止器を取り付けて筺体内部の湿気を筺体外部に排出してもよい。防水コネクタは、本体の壁面に配置され、外部の電気配線と内部の電気配線とを密封通線する。また、本体は、蓋部と接触する部分に耐久性に優れたゴムで形成されたパッキンを具備する。蓋部も、本体と接触する部分に耐久性に優れたゴムで形成されたパッキンを具備する。そして、蓋部が閉じた状態の時には、本体のパッキンと蓋部のパッキンとが接触するように構成されている。なお、「耐久性に優れたゴム」とは、実際に使用する環境でのキャビネトの耐久性と同等のゴムを意味し、具体的にはシリコンゴム、エチレンプロピレンゴム、フッ素ゴムがある。
【考案の効果】
【０００７】
本発明のキャビネットによれば、本体と蓋部の両方に具備されたパッキンと２つ以上の固定部によってキャビネット内部の気密性を維持できる。また、ヒータまたは結露防止器によってキャビネット内の結露を防止できる。さらに、筺体をポリカーボネイトで形成したことで、筺体に求められる強度を確保しながら、耐腐食性を向上できる。したがって、本発明のキャビネットは、湿気の多い環境であっても腐食しにくい。
【図面の簡単な説明】
【０００８】
【図１】従来の電気配線用のキャビネットの構成を、蓋部が開いた状態で示した図。
【図２】従来の電気配線用のキャビネットの構成を、蓋部が閉じた状態で示した図。
【図３】本発明のキャビネットの構成を、蓋部が開いた状態で示した図。
【図４】本発明のキャビネットの構成を、蓋部が閉じた状態で示した図。
【図５】本体１１０と蓋部１２０とが接触する部分を拡大した図。
【図６】本体１１０と蓋部１２０とが接触する部分を拡大したときの別の具体例を示す図。
【図７】キャビネットをトンネルなどの天井に固定した様子を示す図。
【図８】キャビネットをトンネルなどの壁面に固定した様子を示す図。
【図９】キャビネットをトンネルなどの壁面に固定した別の様子を示す図。
【図１０】パッキンの切り込みあり、固定部なし、シリコンゴムのパッキンの場合の、キャビネットの気密性を確認した実験の結果を示す図。
【図１１】パッキンの切り込みあり、固定部あり、シリコンゴムのパッキンの場合の、キャビネットの気密性を確認した実験の結果を示す図。
【図１２】パッキンの切り込みなし、固定部なし、ウレタンのパッキンの場合の、キャビネットの気密性を確認した実験の結果を示す図。
【図１３】パッキンの切り込みなし、固定部あり、ウレタンのパッキンの場合の、キャビネットの気密性を確認した実験の結果を示す図。
【図１４】パッキンの切り込みなし、固定部あり、シリコンゴムのパッキンの場合の、キャビネットの気密性を確認した実験の結果を示す図。
【考案を実施するための形態】
【０００９】
以下、本発明の実施の形態について、詳細に説明する。なお、同じ機能を有する構成部には同じ番号を付し、重複説明を省略する。
【実施例１】
【００１０】
図３、図４に、本発明のキャビネットの構成例を示す。図３は蓋部を解放した図であり、図４は蓋部を閉じた図である。本発明のキャビネット１００は、筺体１０５、基板１３０、ヒータ２１０、過電流防止手段２２０、防水コネクタ１５０−１、１５０−２、ブレーカ９４０、内部の電気配線９７０、２７０、２８０を備える。筺体１０５は、ポリカーボネイトで形成された本体１１０と蓋部１２０と、本体１１０と蓋部１２０とが閉じた状態を維持するための２つの固定部１１６−１と１２６−１、１１６−２と１２６−２と、蓋部９２０を開閉するためのノブ９６０とを有する。なお、この例では固定部は、本体１１０側の固定部１１６−１と蓋部１２０側の固定部１２６−１とで１つの固定部となっている。また、固定部は２つ以上具備してもよい。さらに、本体１１０は、蓋部１２０と接触する部分に耐久性に優れたゴムで形成されたパッキン１１１を具備する。耐久性に優れたゴム」とは、実際に使用する環境でのキャビネトの耐久性と同等のゴムを意味し、具体的にはシリコンゴム、エチレンプロピレンゴム、フッ素ゴムがある。蓋部１２０も、本体１１０と接触する部分に耐久性に優れたゴムで形成されたパッキン１２１を具備する。そして、蓋部１２０が閉じた状態の時には、本体１１０のパッキン１１１と蓋部１２０のパッキン１２１とが接触するように構成されている。
【００１１】
基板１３０は、樹脂製であり、筺体１０５内に配置され、電気配線を行うための基板である。ヒータ２１０は、筺体１０５内に配置され、筺体１０５内部の結露を防ぐ。なお、ヒータの代わりに、結露防止器を備えてもよい。過電流防止手段２２０は、基板１３０上に配置され、ヒータ２１０に過電流が流れることを防止する。防水コネクタ１５０−１、１５０−２は、本体１１０の壁面に配置され、外部の電気配線と内部の電気配線とを密封通線する。なお、本願明細書での「密封通線」とは、外部の電気配線と内部の電気配線とが同一のケーブルであって気密性を保った状態でケーブルが通過している場合と、気密性を保った状態で外部の電気配線と内部の電気配線とを接続する場合の両方を含んだ意味である。防水コネクタ１５０−１、１５０−２の外部側には、ケーブル９９０−１、９９０−２が配線され、内部側の電気配線９７０に至っている。例えば、ケーブル９９０−１が電源側のケーブルであり、ケーブル９９０−２がキャビネット１００よりも下部への配線用ケーブルである。ケーブル９９０−２は照明機器、換気扇、排水ポンプなどに接続される。ブレーカ９４０は、キャビネット１００よりも下部で漏電や短絡が生じた場合に給電を停止するために備えられている。
【００１２】
過電流防止手段２２０は、電気配線２７０を介して、ブレーカ９４０よりも電源側（ケーブル９９０−１に近い側）で電気配線９７０と接続されている。また、電気配線２８０は過電流防止手段２２０とヒータ２１０とを接続している。なお、ヒータ２１０がブレーカ９４０よりも電源側で電気配線９７０と接続されているのは、ブレーカ９４０が切断状態のときにも、キャビネット１００内が結露するのを防ぐためである。そして、ヒータ２１０が故障した場合の対策として、過電流防止手段２２０が備えられている。
【００１３】
図５は、本体１１０と蓋部１２０とが接触する部分を拡大した図である。この例では、本体１１０は、溝１１３と凸部１１２とを有し、パッキン１１１は凸部１１２の先端に具備されている。電気配線用のキャビネットであれば、凸部の先端の幅は２〜８ｍｍとすればよく、パッキン１１１の厚みは０．３〜０．７ｍｍとすればよく、パッキン１２１の厚みは５〜６ｍｍとすればよい。本体１１０と蓋部１２０とが閉じれば、パッキン１１１とパッキン１２１とは密着した状態となる。なお、パッキン１１１とパッキン１２１は、シリコンゴム、エチレンプロピレンゴム、フッ素ゴムのような耐久性に優れたゴムなので、長期間この状態が続いたとしても、パッキン同士が接着してしまうことはない。また、図５では本体１１０に凸部１１２を具備させたが、蓋部１２０に凸部を具備させ、本体１１０のパッキン１１１を平らにしてもよい。
【００１４】
キャビネット１００によれば、本体１１０と蓋部１２０の両方に具備されたパッキン１１１、１２１の２つ以上の固定部（１１６−１と１２６−１の組合せ、および１１６−２と１２６−２の組合せ）によってキャビネット１００内部の気密性を維持できる。また、ヒータ２１０によってキャビネット内の結露を防止できる。なお、ヒータの代わりに筺体底部を貫通する結露防止器を取り付けて筺体内部の湿気を筺体外部に排出してもよい。この場合は、過電流防止手段２２０も不要となる。さらに、筺体１０５をポリカーボネイトで形成したことで、筺体１０５に求められる強度を確保しながら、耐腐食性を向上できる。そして、基板１３０が樹脂製であることや、防水コネクタ１５０−１、１５０−２を用いたことによっても腐食による問題が生じにくくなっている。したがって、本発明のキャビネットは、湿気の多い環境であっても腐食しにくい。また、内部の電気配線の漏電を長期にわたって防ぐことができる。
［変形例］
図６は、本体１１０と蓋部１２０とが接触する部分を拡大したときの別の具体例を示す図である。蓋部１２０のパッキン１２１’には、切り込み１２２がある。このように切り込み１２２があると、本体１１０と蓋部１２０とが閉じれば、凸部１１２の先端部分とパッキン１１１は、パッキン１２１の切り込み１２２の中に入った状態となる。このような構成でも、実施例１と同様の効果が得られる。また、図６では本体１１０に凸部１１２を具備させたが、蓋部１２０に凸部を具備させ、本体１１０のパッキン１１１を平らにしてもよい。
【実施例２】
【００１５】
図７は、キャビネット１００をトンネルなどの天井に固定した様子を示す図である。図７（Ａ）は正面図、図７（Ｂ）は側面図、図７（Ｃ）は天井を省略した平面図である。天井８１０はコンクリートなどによって形成されている。支持材３１０は、ＦＲＰなどの樹脂で形成されており、天井８１０にビスなどによって固定される。キャビネット１００はシール座金付きビスなどによって支持材３１０に固定される。このように樹脂製の支持材３１０を用いれば、支持材の腐食によってキャビネットが落下する問題を解決できる。
［変形例１］
図８は、キャビネット１００をトンネルなどの壁面に固定した様子を示す図である。図８（Ａ）は正面図、図８（Ｂ）は側面図、図８（Ｃ）は平面図である。壁面８２０はコンクリートなどによって形成されている。支持材３２０は、ＦＲＰなどの樹脂で形成されており、壁面８２０にビスなどによって固定される。キャビネット１００はシール座金付きビスなどによって支持材３２０に固定される。このように樹脂製の支持材３２０を用いれば、支持材の腐食によってキャビネットが落下する問題を解決できる。
［変形例２］
図９は、キャビネット１００をトンネルなどの壁面に固定した様子を示す図である。図９（Ａ）は正面図、図９（Ｂ）は側面図、図９（Ｃ）は平面図である。支持材３３０は、ＦＲＰなどの樹脂で形成された第１支持材３３１と第２支持材３３２で構成される。第１支持材３３１は、壁面８２０にビスなどによって固定される。第２支持材は、シール座金付きビスなどによってキャビネット１００に固定される。第１支持材３３１と第２支持材３３２とをビスなどによって固定することで、キャビネット１００は壁面８２０に固定される。このように樹脂製の支持材３３０を用いれば、支持材の腐食によってキャビネットが落下する問題を解決できる。
【００１６】
実験結果
以下に、本発明のキャビネットの気密性を確認した実験の結果を示す。この実験では、筺体内を６Ｋｐａまで加圧し、加圧を停止した後の筺体内部の圧力の時間変化を調べた。図１０はパッキンの切り込みあり、固定部なし、シリコンゴムのパッキンの結果を、図１１はパッキンの切り込みあり、固定部あり、シリコンゴムのパッキンの結果を、図１２はパッキンの切り込みなし、固定部なし、ウレタンのパッキンの結果を、図１３はパッキンの切り込みなし、固定部あり、ウレタンのパッキンの結果を、図１４はパッキンの切り込みなし、固定部あり、シリコンゴムのパッキンの結果をそれぞれ示している。なお、固定部ありとは、２つの固定部を備えた場合である。また、各図の（Ａ）は本体側のパッキンがない場合、（Ｂ）は本体側の凸部の先端の幅が０．７ｍｍの場合、（Ｃ）は本体側の凸部の先端の幅が０．５ｍｍの場合を示している。
【００１７】
図１０と図１２から、固定部がない場合は、６Ｋｐａまでの加圧に耐えられないことが分かる。図１３と図１４から、パッキンとしてシリコンゴムの方がウレタンよりも優れていることが分かる。図１１と図１３から、凸部を備えることで、より気密性が高められることが分かる。また、微妙ではあるが、切り込みなしの方が凸部の先端の幅などに依存せず、安定的に気密性を確保できることが分かる。
【００１８】
これらの実験結果より、本体と蓋部の両方にパッキンを具備させ、２つ以上の固定部を備えさせればキャビネットの気密性を高くできることが分かる。また、パッキンにシリコンゴムを用いれば気密性向上の面でもよい結果が期待できることも分かる。
【符号の説明】
【００１９】
１００、９００  キャビネット              １０５、９０５  筺体
１１０、９１０  本体                      １１１  パッキン
１１２  凸部                              １１３  溝
１１６、１２６  固定部                    １２０、９２０  蓋部
１２１、９２１  パッキン                  １３０、９３０  基板
１５０  防水コネクタ                      ２１０  ヒータ
２２０  過電流防止手段                    ２７０、２８０、９７０  電気配線
３１０、３２０、３３０  支持材            ３３１  第１支持材
３３２  第２支持材                        ９４０  ブレーカ
９５０  コネクタ                          ９６０  ノブ
【図１】
0003149878.tif 000003
【図２】
0003149878.tif 000004
【図３】
0003149878.tif 000005
【図４】
0003149878.tif 000006
【図５】
0003149878.tif 000007
【図６】
0003149878.tif 000008
【図７】
0003149878.tif 000009
【図８】
0003149878.tif 000010
【図９】
0003149878.tif 000011
【図１０】
0003149878.tif 000012
【図１１】
0003149878.tif 000013
【図１２】
0003149878.tif 000014
【図１３】
0003149878.tif 000015
【図１４】
0003149878.tif 000016